(57)【要約】【課題】大スクリーン、低電力消耗、高プラバシー、長い動作時間、使用に便利および携帯に便利なメガネ型マルチメディアプレイ装置を提供する。【解決手段】外部メモリカードの情報を読み取るもので、配戴本体、電路コントロールユニット、映像音声出力ユニット、および電源を包括し、当該配戴本体は組接電路コントロールユニット、映像音声出力ユニットおよび電源で、当該電路コントロールユニットには映像音声処理コントロール電路、コントロールパネルおよび少なくとも一つのメモリカード差し込み槽が包括される。当該映像音声処理コントロール電路は電性連接メモリカード差し込み槽およびコントロールパネルである。また、映像音声出力ユニットにはマイクロモニターおよび、音声出力装置が包括され、当該マイクロモニターおよび音声出力装置は映像音声処理コントロール電路と電性連続しいる。【選択図】図１
0003138087.tif 000002
【実用新案登録請求の範囲】
【請求項１】
外部メモリカードの情報を読み取るもので、配戴本体、電路コントロールユニット、映像音声出力ユニットおよび電源を包括し、そのうち、当該配戴本体は、レンズフレーム、および連接レンズフレームのレンズを備え、当該電路コントロールユニットは前述のレンズフレームを組成し、映像音声処理コントロール電路、コントロールパネルおよび少なくとも一つのメモリカード差し込み槽を包括し、当該の映像音声処理コントロール電路は電性連接でメモリカード差し込み槽およびコントロールパネルと接し、当該映像音声出力ユニットは、上記レンズフレームを組成しており、マイクロモニターおよび音声出力装置を包括し、該マイクロモニターおよび音声出力装置は電性連接で前述の映像音声処理コントロール電路と接し、当該電源は上記レンズフレームを組成しており、電性連接で電路コントロールユニットおよび映像音声出力ユニットと接し、当該電路コントロールユニットおよび映像音声出力ユニットが必要とする電力を供給することを特徴とするメガネ型マルチメディアプレイ装置。
【請求項２】
レンズフレームは、二つのレンズアーム、および両レンズアームの間の結合アームを擁することを特徴とする請求項１記載のメガネ型マルチメディアプレイ装置。
【請求項３】
映像音声処理コントロール電路は、ＭＰＥＧ，ＪＰＥＧおよびＭＪＰＥＧなどの情報を解読運用することを特徴とする請求項１記載のメガネ型マルチメディアプレイ装置。
【請求項４】
当該メモリカードの差し込み槽は、ＣＦカード、ＳＤカード、ＭＳカードおよびＸＤカードなどの規格と符合するメモリカードであることを特徴とする請求項１記載のメガネ型マルチメディアプレイ装置。
【請求項５】
コントロールパネルにはジョグダイアルが包括されることを特徴とする請求項１記載のメガネ型マルチメディアプレイ装置。
【請求項６】
コントロールパネルは音量調整ボタンを包括することを特徴とする請求項１記載のメガネ型マルチメディアプレイ装置。
【請求項７】
コントロールパネルにはリモートコントローラーが包括され、コントロールパネルはリモートコントローラーの発するコントロール信号を受けることを特徴とする請求項１記載のメガネ型マルチメディアプレイ装置。
【請求項８】
結合アームはマイクロモニターおよびレンズと接することを特徴とする請求項２記載のメガネ型マルチメディアプレイ装置。
【請求項９】
結合アームの突起は少なくとも結合梢に設けられており、またマイクロモニターのくぼみは少なくとも一対の結合梢の定位凹槽に設けられていることを特徴とする請求項２記載のメガネ型マルチメディアプレイ装置。
【考案の詳細な説明】
【技術分野】
【０００１】
本考案は一種のメガネ型マルチメディアプレイ装置で、特に当該配戴本体は組接電路コントロールユニット、映像音声出力ユニットおよび電源が、本考案に大スクリーン、低い電力消耗、高プライバシー、長い動作時間、使用に便利および携帯に便利という長所を提供している。
【背景技術】
【０００２】
ＭＰ３プレイヤーが世界的に売れるようになった後、多くのメーカーは次のハイレベル携帯可能なマルチメディアプレイヤー(Portable Media Player、簡称ＰＭＰ)の推進を開始した。携帯可能なメディアプレイヤーはプレイ可能な現有のＭＰ３音楽の外に、ＭＰＥＧ１、ＭＰＥＧ２およびＭＰＥＧ４の映像ファイルのプレイもサポートする。このため、携帯可能なメディアプレイヤーの出現は、すでにＭＰ４時代の到来を宣告したようなものだ。携帯可能なマルチメディアプレイヤーとＭＰ３携帯ステレオの最大の違いは、保存と写真再生、動画および電子書籍の読み取りで、大部分の携帯可能なマルチメディアプレイヤーは優れたＬＣＤモニタースクリーンを擁しており、写真であれ、動画であれ、その品質は充分に繊細だ。
【０００３】
しかし、携帯可能なメディアプレイヤーは軽薄短小な体積で、しかも機能は強大という特性を備えており、携帯可能なメディアプレイヤーのＬＣＤモニタースクリーンのサイズの大部分は３．５インチ以下で、これによって携帯可能なメディアプレイヤーの体積を制御している。ただし、ＬＣＤモニタースクリーンサイズが小さすぎる場合、ユーザーが動画を見ているとき、とても疲れるという現象につながり、眼の疲れも生み出す。現在、少数の携帯可能なメディアプレイヤーは大規格のＬＣＤモニタースクリーン(約７インチ前後)を採用しているが、これによって携帯可能なメディアプレイヤーの体積は大きくなっている。これは、現在の携帯可能なメディアプレイヤーがますます軽薄短小化するという要求の反するもので、消費族群を制限するものでもある。
【０００４】
このため、現在の携帯可能なメディアプレイヤーの欠点をいかに改善し、大スクリーンを備え、小さな体積で携帯に便利および使用にも便利な携帯可能なメディアプレイヤーを開発するかが、本案考人が技術的困難を解決しようと欲するところである。
【考案の開示】
【考案が解決しようとする課題】
【０００５】
以上で述べた周知の技術の欠点に鑑み、本考案の主要な目的は一種の大スクリーン、低い電力消耗、高プライバシー、長い動作時間、使用に便利および携帯に便利なメガネ型マルチメディアプレイ装置の提供である。
【０００６】
上述の目的およびその他目的を達成するため、本考案が提供する一種のメガネ型マルチメディアプレイ装置は、外部メモリカードの情報を読み取るもので、配戴本体、電路コントロールユニット、映像音声出力ユニットおよび電源が包括される。このなかの当該配戴本体はレンズフレーム、および連接レンズフレームのレンズを包括する。
【０００７】
当該電路コントロールユニットは、前述のレンズフレームを組成するにあたり、ここには、映像音声処理コントロール電路、コントロールパネル、および少なくとも一つのメモリカード差し込み槽を包括する。当該映像音声処理コントロール電路は電性連接でメモリカード差し込み槽およびコントロールパネルと接している。
【０００８】
当該映像音声出力ユニットは、上述のレンズフレームを組成するにあたり、マイクロモニターおよび音声出力装置を包括する。当該マイクロモニターおよび音声出力装置は電性連接で前述の映像音声処理コントロール電路と接する。および当該電源は、上述のレンズフレームを組成する際、電性連接で電路コントロールユニットおよび映像音声出力ユニットと接し、当該電路コントロールユニットおよび映像音声出力ユニットで必要な電力を供給する。
【０００９】
上述の技術手段により、本考案は周知の欠点を補い大スクリーン、低い電力消耗、高プライバシー、長い動作時間、使用に便利および携帯に便利な長所を提供する。
【実施例】
【００１０】
本考案で採用した技術、手段およびそこで達成される効果については、比較的良好な実施例を挙げて、図式とあわせて詳細に以下の通り説明するので、これによって深く具体的に理解できることと確信する。
【００１１】
図１から図３で示した第一の実施例を参照されたし。本考案のメガネ型マルチメディアプレイ装置は、外部メモリカード１０の情報を読み取るもので、配戴本体１、電路コントロールユニット２、映像音声出力ユニット３および電源４が包括される。
【００１２】
このうち当該配戴本体１は、一レンズフレーム１１、および連接レンズフレーム１１のレンズ１２が包括され、当該レンズフレーム１１には二個のレンズアーム１１１、１１２、および両レンズアーム１１１１、１１２の間に連結された結合アーム１１３があり、当該結合アーム１１３はレンズ１２に接続している。
【００１３】
図３の示すところを参照されたし。上述の電路コントロールユニット２は、前述のレンズフレーム１１の二つのレンズアーム１１１、１１２のうちの一つに組成され、映像音声処理コントロール電路２１、コントロールパネル２２および少なくとも一つのメモリカード差し込み槽２３を包括する。当該映像音声処理コントロール電路２１は、ＭＰＥＧ、ＪＰＥＧ、ＭＪＰＥＧなどの情報スタイルを運営でき、また映像音声処理コントロール電路２１は電性連接でメモリカード差し込み槽２３およびコントロールパネル２２に接する。当該メモリカード差し込み槽２３はＣＦカード、ＳＤカード、ＭＳカードおよびＸＤカードなどの外部的メモリカード１０規格挿入に符合し、また映像音声処理コントロール電路２１で読取る。またコントロールパネル２２は、ユーザーが入力したコントロールの指令に即して、映像音声処理コントロール電路２１まで伝達する。そのうち、コントロールパネル２２はレンズフレーム１１の二つのレンズアーム１１１、１１２のうちの１つを組成しており、また音量調整ボタン２２１およびジョグダイアル(jog dial)２２２を有する。これによって、コントロールパネル２２はユーザーから直接キーイン指令を供することができる。
【００１４】
図２で示すところを参照されたし。上述の映像音声出力ユニット３は、上述の配戴本体１を組成するもので、マイクロモニター３１および音声出力装置３２を包括する。当該マイクロモニター３１は、電性連接で前述の映像音声処理コントロール電路２１と接しており、結合アーム１１３と組成し、レンズ１２の内側面に設置されており、モニターメモリカード１０の影像情報を用いる。音声出力装置３２は電性連接で映像音声処理コントロール電路２１と接しており、レンズアーム１１１、１１２の末端から伸ばすことで、出力メモリカード１０の音声情報を使用する。
【００１５】
図２で示すところを参照されたし。上述の電源４は、上述のレンズフレーム１１の両レンズアーム１１１、１１２のなかの１つと接しており、電性連接で電路コントロールユニット２および映像音声出力ユニット３と接することで、当該電路コントロールユニット２および映像音声出力ユニット３が必要とする電力を供給している。
【００１６】
上述の構件の使用状態については、図３の示すところを参照されたし。使用時はメモリカード１０をメモリカード差し込み槽２３に挿入し、映像音声処理コントロール電路２１でメモリカード１０の情報を読み取り、コードを解読する。そしてマイクロモニター３１および音声出力装置３２プレイメモリカード１０の内部情報、またコントロールパネル２２をコントロールプレイのあわせて動作させる。
【００１７】
次に、上述の実施例が結合したアーム１１３はマイクロモニター３１およびレンズ１２に接続する。当然、図５の結合アーム１１３のようにマイクロモニター３１およびレンズ１２に接続してもよい。これによって  接続された構造はマイクロモニター３１およびレンズ１２を外に向け、上に回転させることもできる。このため、ユーザーは携帯電話が鳴る、あるいは他人に呼ばれた時、マイクロモニター３１およびレンズ１２を外に向ける、もしくは上に向けさえすれば、本考案のメガネ型マルチメディアプレイ装置を取ることなく、それを応用させ、便利に使用することができる。
【００１８】
図４で示すところを参照されたし。本考案の第二実施例のメガネ型マルチメディアプレイ装置と第一実施例の組合方式はおおむね同じだが、異なる箇所はレンズフレーム１１の結合アーム１１３の突起に少なくとも一つの結合梢１１４が設けられており、またマイクロモニター３１のくぼみに少なくとも一対の結合梢１１４の定位凹槽３１１が設けられている。これを通じて結合梢１１４は定位凹槽３１１として機能し、マイクロモニター３１をレンズフレーム１１に結合させる。一方、結合梢１１４と定位凹槽３１１を分解し、マイクロモニター３１とレンズフレーム１１を分離することで、取り外し式マイクロモニター３１の目的を達することもできる。
【００１９】
もう一つ、紹介に値することは、上述の音声出力装置３２が挿入式イヤーフォン(図１の通り)の外に、半カバー式あるいは全カバー式的イヤーフォン(図５の通り)を使用することができ、異なるユーザーのニーズを満たすことができる点だ。
【００２０】
また、配戴本体１のレンズ１２の作用は主に遮断および美観の機能で発揮され、その設計は通常外観で必要とされる異なる構造形態に伴うものだ。このため、レンズ１２がそのほかの遮断物に取って代わることができ、さらに上述の各実施例と同じ使用目的および効果をもたらすことはここで贅言しない。
【００２１】
さらに、上述のコントロールパネル２２は、主に音量調整ボタン２２１およびジョグダイアル２２２を備えている。図３を参照されたし。コントロールパネル２２は無線でリモートコントローラー２２３の発するコントロール信号を受けることができる。このコントロール指令の規格は赤外線通信の基準に符合している。当然、このコントロール指令もブルートゥース(Bluetooth（登録商標）)通信基準に符合しているため、本実施例での掲載には限定されない。
【図面の簡単な説明】
【００２２】
【図１】本考案の第一実施例の外観立体図である
【図２】本考案の第一実施例のもう一つの角度の外観立体図である。
【図３】本考案の第一実施例およびメモリカードの外観立体図である。
【図４】本考案の第二実施例の平面図。
【図５】本考案の結合アーム枢接マイクロモニターおよびレンズともう一つの型態の音声出力装置である。
【符号の説明】
【００２３】
１０    メモリーカード
１      配戴本体
１１    レンズフレーム
１１１  レンズアーム
１１２  レンズアーム
１１３  結合アーム
１１４  結合梢
１２    レンズ
２      電路コントロールユニット
２１    映像音声処理コントロール電路
２２    コントロールパネル
２２１  音量調節ボタン
２２２  ジョグダイアル
２２３  リモートコントローラー
２３    メモリカード差し込み槽
３      映像音声出力ユニット
３１    マイクロモニター
３１１  定位凹槽
３２    音声出力装置
４      電源
【図１】
0003138087.tif 000003
【図２】
0003138087.tif 000004
【図３】
0003138087.tif 000005
【図４】
0003138087.tif 000006
【図５】
0003138087.tif 000007